(57)【特許請求の範囲】
【請求項１】
キャラクタ列を１行以上含むサンプルテキストが予め入力された複数のデザインフォームを記憶する記憶手段と、
前記記憶手段に記憶された複数のデザインフォームの中から１のデザインフォームを選択する選択手段と、
前記選択手段によって選択されたデザインフォームのサンプルテキストを編集してオリジナルテキストを作成する編集手段と、
前記サンプルテキストまたは編集中の前記オリジナルテキストを画面上に表示すると共に、編集対象となるキャラクタに対しカーソルを付して表示する表示手段と、を備え、
前記表示手段は、前記選択手段により選択された前記デザインフォームを読み出した直後の前記サンプルテキストを表示する初期状態において、当該サンプルテキストに含まれる最終行のキャラクタ列の最後のキャラクタが前記画面上に表示されるように、当該最終行のキャラクタ列の文字数が前記画面に表示可能な最大文字数を超えた場合、当該キャラクタ列の後半部における所定文字数分のキャラクタを残した状態で前半部のキャラクタを非表示にすると共に、前記最後のキャラクタに前記カーソルを付して表示することを特徴とするキャラクタ入力装置。
【請求項２】
前記サンプルテキスト毎に予め書式が設定されており、
前記編集手段により作成される前記オリジナルテキストの書式は、前記サンプルテキストに設定された書式にしたがって決定されることを特徴とする請求項１に記載のキャラクタ入力装置。
【請求項３】
前記サンプルテキストは１以上のキャラクタ列の集合からなる段落により構成されると共に、当該段落毎に予め書式が設定されており、
前記編集手段により作成される前記オリジナルテキストの書式は、前記サンプルテキストに設定された各段落の書式にしたがって決定されることを特徴とする請求項１に記載のキャラクタ入力装置。
【請求項４】
前記キャラクタ列毎に予め書式が設定されており、
前記編集手段により作成される前記オリジナルテキストの書式は、前記サンプルテキストに設定された各キャラクタ列の書式にしたがって決定されることを特徴とする請求項１に記載のキャラクタ入力装置。
【請求項５】
前記キャラクタ列毎に入力可能なキャラクタ領域が予め設定されている場合、当該入力可能なキャラクタ領域を超えたキャラクタの入力を禁止する入力禁止手段を更に備えたことを特徴とする請求項１ないし４のいずれかに記載のキャラクタ入力装置。
【請求項６】
前記編集手段は、ＢＳ操作により前記カーソルを付したキャラクタを消去することを特徴とする請求項１ないし５のいずれかに記載のキャラクタ入力装置。
【請求項７】
請求項１ないし６のいずれかに記載のキャラクタ入力装置と、
前記サンプルテキストまたは前記オリジナルテキストが入力されたデザインフォームをテープ上に印刷する印刷手段と、を備えたことを特徴とするテープ印刷装置。
【請求項８】
キャラクタ列を１行以上含むサンプルテキストが予め入力された複数のデザインフォームを記憶する記憶装置、制御部、キーボードおよび画面を有するキャラクタ入力装置のキャラクタ入力方法であって、
前記制御部が、
前記キーボードの操作情報を取得し、当該操作情報に基づいて、前記記憶装置に記憶された複数のデザインフォームの中から１のデザインフォームを選択する選択工程と、
選択した前記デザインフォームのサンプルテキストを前記画面上に表示し、当該サンプルテキストから、前記キーボードを用いた編集操作に基づいてオリジナルテキストを作成する編集工程と、
作成した前記オリジナルテキストを前記画面上に表示すると共に、編集対象となるキャラクタに対しカーソルを付して表示するオリジナルテキスト表示工程と、を実行し、
前記編集工程では、前記サンプルテキストを表示する初期状態において、当該サンプルテキストに含まれる最終行のキャラクタ列の最後のキャラクタが前記画面上に表示されるように、当該最終行のキャラクタ列の文字数が前記画面に表示可能な最大文字数を超えた場合、当該キャラクタ列の後半部における所定文字数分のキャラクタを残した状態で前半部のキャラクタを非表示にすると共に、前記最後のキャラクタに前記カーソルを付して表示することを特徴とするキャラクタ入力装置のキャラクタ入力方法。
【請求項９】
前記サンプルテキスト毎に予め書式が設定されており、
前記編集工程において作成される前記オリジナルテキストの書式は、前記サンプルテキストに設定された書式にしたがって決定されることを特徴とする請求項８に記載のキャラクタ入力装置のキャラクタ入力方法。
【請求項１０】
前記サンプルテキストは１以上のキャラクタの集合からなる段落により構成されると共に、当該段落毎に予め書式が設定されており、
前記編集工程において作成される前記オリジナルテキストの書式は、前記サンプルテキストに設定された各段落の書式にしたがって決定されることを特徴とする請求項８に記載のキャラクタ入力装置のキャラクタ入力方法。
【請求項１１】
前記キャラクタ列毎に予め書式が設定されており、
前記編集工程において作成される前記オリジナルテキストの書式は、前記サンプルテキストに設定された各キャラクタ列の書式にしたがって決定されることを特徴とする請求項８に記載のキャラクタ入力装置のキャラクタ入力方法。
【請求項１２】
前記編集工程では、前記キーボードに含まれるＢＳキーの操作により前記カーソルを付したキャラクタを消去することを特徴とする請求項８ないし１１のいずれかに記載のキャラクタ入力装置のキャラクタ入力方法。
【発明の詳細な説明】
【０００１】
【発明の属する技術分野】
本発明は、予めサンプルテキストが入力されたデザインフォームを呼び出した後、当該サンプルテキストの内容を編集可能なキャラクタ入力装置およびこれを備えたテープ印刷装置並びにキャラクタ入力装置のキャラクタ入力方法に関するものである。
【０００２】
【従来の技術】
近年、様々な使用目的を想定したデザインフォーム（テンプレート）が予め記憶されており、これらの中からユーザが目的に応じたデザインフォームを呼び出して必要事項を入力することにより、手軽に目的に合った文書を作成可能なキャラクタ入力装置（ワープロ等）が知られている。また、このように、複数のデザインフォームを記憶して、ユーザの使用目的に応じた様々なラベルを作成可能なテープ印刷装置も、現在広く利用されている。
【０００３】
ところで、この種のテープ印刷装置において、例えば、図２０（ａ）に示すようなフロッピーディスクに貼付するためのラベルを作成する場合は、フロッピーディスク対応のデザインフォームを選択して、同図（ｂ）に示すような入力フォームを表示画面に表示させる。ここで、上段はテープ上に印刷されるイメージを表示する印刷イメージ表示部、下段は入力されたテキストの編集状態を表示するテキスト表示部を示すものであり、テキストの入力は、テキスト表示部のカーソルＫの後（「字」マークの後）から行うようになっている。また、行頭の黒地（白抜き）数字は、各キャラクタ列の行番号を示し、その右側に表示される黒地横向きの三角マークは、その行に特定の書式が設定されていることを示している。
【０００４】
同図（ｂ）の状態から、ユーザは、印刷イメージ表示部の表示を視認しながらキーボード等を操作することにより、文字や記号等の所望するキャラクタの入力を行う（同図（ｃ）参照）。そして、全てのキャラクタ列（この場合３列）の入力を行った後（同図（ｄ）参照）、印刷処理を行うことにより、フロッピーディスクに貼付可能な所定サイズのラベルを作成することができる。この場合、同図（ａ）に示すように、予めラベルサイズ（テープの長さ）が設定されているため、ユーザは煩わしいテープ長の設定を行うことなく、簡単に見栄えの良いラベルを作成することができる。
【０００５】
ところが、このようにデザインフォームを呼び出してラベルを作成する場合、テキストの入力前の同図（ｂ）の段階においては、印刷イメージ表示部に何らテキストが表示されないため、ユーザは、これから入力するキャラクタがどのように印刷されるかを想定することができなかった。すなわち、どこにどのような内容のテキストを入力して良いのかが分からなかった。したがって、とりあえずキャラクタを入力してみて、印刷イメージ表示部を確認し、意に沿わない場合は入力を再度やり直すか、若しくは、取扱説明書などでデザインフォームのサンプル入力を確認しながら入力を行わなければならず、面倒であった。
【０００６】
【発明が解決しようとする課題】
本発明は、このような問題に鑑み、予めサンプルテキストが入力されたデザインフォームを呼び出して、そのサンプルテキストの内容を編集することにより、所望する文書を容易に作成可能なキャラクタ入力装置およびこれを備えたテープ印刷装置並びにキャラクタ入力装置のキャラクタ入力方法を提供することを目的とする。
【０００７】
【課題を解決するための手段】
本発明のキャラクタ入力装置は、キャラクタ列を１行以上含むサンプルテキストが予め入力された複数のデザインフォームを記憶する記憶手段と、記憶手段に記憶された複数のデザインフォームの中から１のデザインフォームを選択する選択手段と、選択手段によって選択されたデザインフォームのサンプルテキストを編集してオリジナルテキストを作成する編集手段と、サンプルテキストまたは編集中のオリジナルテキストを画面上に表示すると共に、編集対象となるキャラクタに対しカーソルを付して表示する表示手段と、を備え、表示手段は、選択手段により選択されたデザインフォームを読み出した直後のサンプルテキストを表示する初期状態において、当該サンプルテキストに含まれる最終行のキャラクタ列の最後のキャラクタが画面上に表示されるように、当該最終行のキャラクタ列の文字数が画面に表示可能な最大文字数を超えた場合、当該キャラクタ列の後半部における所定文字数分のキャラクタを残した状態で前半部のキャラクタを非表示にすると共に、最後のキャラクタにカーソルを付して表示することを特徴とする。
この場合、サンプルテキスト毎に予め書式が設定されており、編集手段により作成されるオリジナルテキストの書式は、サンプルテキストに設定された書式にしたがって決定されることが好ましい。
この場合、サンプルテキストは１以上のキャラクタ列の集合からなる段落により構成されると共に、当該段落毎に予め書式が設定されており、編集手段により作成されるオリジナルテキストの書式は、サンプルテキストに設定された各段落の書式にしたがって決定されることが好ましい。
この場合、キャラクタ列毎に予め書式が設定されており、編集手段により作成されるオリジナルテキストの書式は、サンプルテキストに設定された各キャラクタ列の書式にしたがって決定されることが好ましい。
これらの場合、キャラクタ列毎に入力可能なキャラクタ領域が予め設定されている場合、当該入力可能なキャラクタ領域を超えたキャラクタの入力を禁止する入力禁止手段を更に備えたことが好ましい。
これらの場合、編集手段は、ＢＳ操作によりカーソルを付したキャラクタを消去することが好ましい。
本発明のテープ印刷装置は、上記のいずれかに記載のキャラクタ入力装置と、サンプルテキストまたはオリジナルテキストが入力されたデザインフォームをテープ上に印刷する印刷手段と、を備えたことを特徴とする。
【０００８】
また、本発明のキャラクタ入力装置のキャラクタ入力方法は、キャラクタ列を１行以上含むサンプルテキストが予め入力された複数のデザインフォームを記憶する記憶装置、制御部、キーボードおよび画面を有するキャラクタ入力装置のキャラクタ入力方法であって、制御部が、キーボードの操作情報を取得し、当該操作情報に基づいて、記憶装置に記憶された複数のデザインフォームの中から１のデザインフォームを選択する選択工程と、選択したデザインフォームのサンプルテキストを画面上に表示し、当該サンプルテキストから、キーボードを用いた編集操作に基づいてオリジナルテキストを作成する編集工程と、作成したオリジナルテキストを画面上に表示すると共に、編集対象となるキャラクタに対しカーソルを付して表示するオリジナルテキスト表示工程と、を実行し、編集工程では、サンプルテキストを表示する初期状態において、当該サンプルテキストに含まれる最終行のキャラクタ列の最後のキャラクタが画面上に表示されるように、当該最終行のキャラクタ列の文字数が画面に表示可能な最大文字数を超えた場合、当該キャラクタ列の後半部における所定文字数分のキャラクタを残した状態で前半部のキャラクタを非表示にすると共に、最後のキャラクタにカーソルを付して表示することを特徴とする。
この場合、サンプルテキスト毎に予め書式が設定されており、編集工程において作成されるオリジナルテキストの書式は、サンプルテキストに設定された書式にしたがって決定されることが好ましい。
この場合、サンプルテキストは１以上のキャラクタの集合からなる段落により構成されると共に、当該段落毎に予め書式が設定されており、編集工程において作成されるオリジナルテキストの書式は、サンプルテキストに設定された各段落の書式にしたがって決定されることが好ましい。
この場合、キャラクタ列毎に予め書式が設定されており、編集工程において作成されるオリジナルテキストの書式は、サンプルテキストに設定された各キャラクタ列の書式にしたがって決定されることが好ましい。
これらの場合、編集工程では、キーボードに含まれるＢＳキーの操作によりカーソルを付したキャラクタを消去することが好ましい。
【０００９】
これらの構成によれば、複数のデザインフォームを記憶しており、これらの中から１のデザインフォームを選択することができるため、ユーザは、自分の使用目的にあった文書を手軽に作成することができる。また、デザインフォームには、予めサンプルテキストが入力されており、このサンプルテキストを編集することができるため、ユーザは、どこにどのような内容を入力して良いのかを把握した上で、編集することができる。しかも、予め入力されているサンプルテキスト内の、書き換えまたは追加が必要な箇所のみを入力すればよいため、容易に目的の文書を作成することができる。さらに、編集前の初期状態においては、カーソルがサンプルテキストの最後のキャラクタに付されているため、ユーザは、編集対象箇所をすぐに確認することができると共に、予め入力されているサンプルテキストの削除操作を迅速に行うことができる。すなわち、カーソルを付したキャラクタ前のキャラクタを消去する機能と、カーソルを付したキャラクタの直後のキャラクタを消去する機能とを混在させることなく、前者の機能のみで削除操作を迅速に行うことができる。
【００１０】
この場合、編集手段は、カーソルを付したキャラクタの直後のキャラクタを消去するＤＥＬ機能を用いることなく、サンプルテキストを編集可能であることが好ましい。
【００１１】
また、この場合、編集工程は、カーソルを付したキャラクタの直後のキャラクタを消去するＤＥＬ機能を用いることなく、サンプルテキストを編集可能であることが好ましい。
【００１２】
これらの構成によれば、ＤＥＬ機能（カーソルを付したキャラクタの直後のキャラクタを消去する機能）を用いることなく、予め入力されているサンプルテキストを編集可能であるため、削除処理機能として、装置にＤＥＬ機能を備える必要がない。すなわち、装置の制御構成を簡素化することができる。
【００１３】
これらの場合、サンプルテキストには、当該サンプルテキスト毎に書式が設定されており、編集手段による編集のために入力されるキャラクタは、当該書式にしたがってその書式が決定されることが好ましい。
【００１４】
また、これらの場合、サンプルテキストには、当該サンプルテキスト毎に書式が設定されており、編集工程による編集のために入力されるキャラクタは、当該書式にしたがってその書式が決定されることが好ましい。
【００１５】
これらの構成によれば、サンプルテキスト毎に書式が設定されており、入力されるキャラクタは、サンプルテキストの書式にしたがってその書式が決定されるため、ユーザは、煩わしい書式の設定を必要とすることなく、見栄えの良い文書を作成することができる。なお、「書式」とは、文字サイズ、書体（明朝体、ゴシック体など）、文字間の長さ、飾り字（影文字、白抜文字など）、装飾（網掛、地紋、下線、外枠、文字囲など）などを指すものである。
【００１６】
上記において、キャラクタ列を１以上集合させることにより段落が構成される場合、当該段落毎に書式が設定されており、編集手段による編集のために入力されるキャラクタは、編集対象となる段落の書式にしたがってその書式が決定されることが好ましい。
【００１７】
また、上記において、キャラクタ列を１以上集合させることにより段落が構成されると共に、当該段落毎に書式が設定されており、編集工程による編集のために入力されるキャラクタは、編集対象となる段落の書式にしたがってその書式が決定されることが好ましい。
【００１８】
これらの構成によれば、キャラクタ列を１以上集合させた段落毎に書式が設定されており、入力されるキャラクタは、編集対象となる段落の書式にしたがってその書式が決定されるため、ユーザは、煩わしい書式の設定を必要とすることなく、見栄えの良い文書を作成することができる。また、段落毎に書式が設定されるため、サンプルテキストが複数の段落で構成される場合、それぞれの段落に合った書式を設定することができ、より見栄えの良い文書を作成することができる。
【００１９】
これらの場合、キャラクタ列毎に書式が設定されており、編集手段による編集のために入力されるキャラクタは、編集対象となるキャラクタ列の書式にしたがってその書式が決定されることが好ましい。
【００２０】
また、これらの場合、キャラクタ列毎に書式が設定されており、編集工程による編集のために入力されるキャラクタは、編集対象となるキャラクタ列の書式にしたがってその書式が決定されることが好ましい。
【００２１】
これらの構成によれば、キャラクタ列毎に書式が設定されており、入力されるキャラクタは、編集対象となるキャラクタ列の書式にしたがってその書式が決定されるため、ユーザは、煩わしい書式の設定を必要とすることなく、見栄えの良い文書を作成することができる。また、それぞれのキャラクタ列に合った書式を設定することができ、より見栄えの良い文書を作成することができる。
【００２２】
上記において、表示手段は、キャラクタ列に予め定められた書式以外の書式が設定されている場合、当該キャラクタ列の先頭に所定の記号を表示することが好ましい。
【００２３】
また、上記において、表示工程は、キャラクタ列に予め定められた書式以外の書式が設定されている場合、当該キャラクタ列の先頭に所定の記号を表示することが好ましい。
【００２４】
これらの構成によれば、キャラクタ列に予め定められた書式以外の書式が設定されている場合、当該キャラクタ列の先頭に所定の記号を表示するため、ユーザは、どのキャラクタ列に対して特別な書式（予め定められた書式以外の書式）が設定されているかを確認することができる。
【００２５】
これらの場合、表示手段は、カーソルが付されたキャラクタを含むキャラクタ列の書式に関する情報を表示することが好ましい。
【００２６】
また、これらの場合、表示工程は、カーソルが付されたキャラクタを含むキャラクタ列の書式に関する情報を表示することが好ましい。
【００２７】
これらの構成によれば、カーソルが付されたキャラクタを含むキャラクタ列の書式に関する情報を表示するため、そのキャラクタ列に特別な書式（予め定められた書式以外の書式）が設定されていることを確認できるだけでなく、その内容をも知ることができる。したがって、ユーザは、作成される文書のイメージを把握することができる。
【００２８】
この場合、書式に関する情報は、インジケータによって表示されることが好ましい。
【００２９】
これらの構成によれば、書式に関する情報は、インジケータによって表示されるため、一目で書式情報の内容を確認することができる。また、書式情報を表示するための領域をそれ程必要としないため、表示手段としての画面を小さく構成することができる。
【００３０】
上記において、キャラクタ列毎に入力可能なキャラクタ領域が設定されている場合、当該入力可能なキャラクタ領域を超えたキャラクタの入力を禁止する入力禁止手段を更に備えたことが好ましい。
【００３１】
この構成によれば、キャラクタ列毎に入力可能なキャラクタ領域が設定されている場合、入力可能なキャラクタ領域を超えたキャラクタの入力を禁止するため、ユーザは、無駄なキャラクタの入力を行うことがない。
【００３２】
上記において、入力禁止手段によってキャラクタの入力が禁止された場合、エラー報知を行うエラー報知手段を更に備えたことが好ましい。
【００３３】
この構成によれば、キャラクタの入力が禁止された場合、エラー報知を行うため、ユーザに対して、無駄なキャラクタの入力を行っていることを明確に認識させることができる。なお、「エラー報知」としては、表示画面上にその旨の文字表示を行っても良いし、表示画面を一時的に消去したり、電子音（ビープ音）を発生させたりしても良い。
【００３４】
本発明のテープ印刷装置は、上記に記載のキャラクタ入力装置と、編集手段により、サンプルテキストを編集することによって作成されるオリジナルテキストが入力されたデザインフォームをテープ上に印刷する印刷手段と、を備えたことを特徴とする。
【００３５】
この構成によれば、サンプルテキストを編集することによって作成されるオリジナルテキストが入力されたデザインフォームをテープ上に印刷することができるため、ユーザの使用目的に合ったテープ（ラベル）を容易に作成することができる。
【００３６】
この場合、印刷手段は、編集前のサンプルテキストが入力されたデザインフォームをテープ上に印刷するサンプル印刷が可能であることが好ましい。
【００３７】
この構成によれば、編集前のサンプルテキストが入力されたデザインフォームをテープ上に印刷するサンプル印刷を行うことができるため、編集前にサンプル印刷を行うことで、取扱説明書などを見なくとも、印刷態様を確認することができる。
【００３８】
これらの場合、表示手段は、印刷手段によって印刷されるデザインフォームのイメージを表示する印刷イメージ表示が可能であることが好ましい。
【００３９】
この構成によれば、印刷手段によって印刷されるデザインフォームのイメージを表示することができるため、取扱説明書などを見ることなく、しかも表示画面上で印刷態様を確認することができる。
【００４０】
この場合、表示手段は、印刷イメージ表示を行う印刷イメージ表示部と、サンプルテキストの編集状態を表示するテキスト表示部と、を備えていることが好ましい。
【００４１】
この構成によれば、表示画面が、印刷イメージ表示を行う印刷イメージ表示部と、サンプルテキストの編集状態を表示するテキスト表示部とに分かれているため、ユーザは、印刷イメージを確認しながらサンプルテキストの編集を行うことができる。
【００４２】
【発明の実施の形態】
以下、本発明の一実施形態に係るキャラクタ入力装置およびこれを備えたテープ印刷装置並びにキャラクタ入力装置のキャラクタ入力方法について、添付図面を参照しながら詳細に説明する。本発明のテープ印刷装置は、予めサンプルテキストが入力されたデザインフォームを呼び出して、そのサンプルテキストの内容を編集することにより、使用目的に合った見栄えの良いラベルを容易に作成し得るものである。
【００４３】
そこで、まず、テープ印刷装置１の装置構成について説明する。図１は、本実施形態におけるテープ印刷装置１の全体を示す外観構成であり、図２は、テープ印刷装置１の蓋体８を開蓋した状態の外観構成であり、図３は、テープ印刷装置１の蓋体８を閉蓋し、且つ開閉蓋５を開放してテープカートリッジＣを装着した状態の外観構成である。
【００４４】
図１ないし図３に示すように、このテープ印刷装置１は、装置ケース４により外殻を形成した装置本体２と、装置本体２に着脱自在に装着したテープカートリッジＣとから構成されている。装置本体２は、装置ケース４の後部左方上面に取り付けられた窓付きの開閉蓋５と、開閉蓋５の右隣に配設され開閉蓋５を開閉操作する開閉ボタン６と、開閉ボタン６右方の装置ケース４の上面に配設されたトリム部７と、中間部に取り付けられディスプレイ１４が組み込こまれた開閉自在な蓋体８と、蓋体８の手前側で装置ケース４の上面から突出し露出ランプ群１９を有する三日月形状部９とを備えている。また、三日月形状部９左方の装置ケース４の上面には、２個のキーからなる露出キー群１０が配設され、露出キー群１０と同一平面上に蓋体８に開閉自在に覆われるキーボード３が配設されている。
そして、開閉蓋５の内側には、テープカートリッジＣを着脱自在に装着するポケットＰが形成されている。
【００４５】
図１ないし図３に示すように、テープ印刷装置１では、ユーザが、開閉ボタン６により開閉蓋５を開放し、ポケットＰにテープカートリッジＣを装着した後、蓋体８を開蓋して、キーボード３を開放し、ディスプレイ１４（表示画面４５）を参照しながらキーボード３を操作する。キーボード３により所望の文字など（文字、数字、記号、簡易図形等のキャラクタ）の印刷情報を入力して、印刷を指示すると、テープカートリッジＣからテープＴを繰り出して、印刷ヘッド１２２によりテープＴに所望の印刷を行い、印刷済み部分はテープ排出口２２から随時外部に送り出される。所望の印刷が完了すると、余白分を含むテープ長さの位置までテープＴの送りを行った後、その送りを停止し、テープ排出口２２に形成されたテープカッタ１３２により、送りだしたテープＴを切断する。
【００４６】
なお、このようにして形成したテープＴの端部をトリム部７によりトリミングすることもできる。すなわち、ユーザは、装置ケース４の上面を下斜め方向に切り込んだテープ挿入ガイド１３にテープＴを案内させることで、自動的に起動するトリミング機構によりテープＴの端部を成形切断（角部をＲ形状に面取り）することもできる。
【００４７】
テープＴは、印刷面となる受像層Ｔａと、その裏面側に形成された粘着材層Ｔｂと、さらにその裏面側に形成された剥離層Ｔｃとにより構成されている（図示省略）。テープＴとインクリボンＲは、貫通孔５５の位置で相互に重なり合った状態で走行するとともに、テープＴのみが外部に排出され、インクリボンＲは内部で巻き取られるようになっている。外部に排出されたテープＴは、剥離層Ｔｃを剥がして貼付対象物に貼付される。なお、テープ印刷装置１には、１層のみの（剥離層Ｔｃを有しない）テープＴも使用可能である。
【００４８】
ところで、テープ印刷装置１は、装置本体２とパソコンＰＣとをケーブルで接続することで、パソコンＰＣで入力・編集したデータをテープＴに印刷することもできる。テープ印刷装置１とパソコンＰＣとの通信接続状態は、装置本体２とパソコンＰＣとをケーブルで接続することで、通信接続待機状態となり、通信入力キー１８のＯＮ操作により、通信接続可能状態へと切り替え可能となっている。また、接続端子部３０は、テープＴの排出口とは反対側の装置ケース４に配設されているため、接続したケーブルやＡＣアダプタのコードが、排出されたテープＴを拾い上げる際に邪魔にならないようになっている。また、テープ印刷装置１は、背面を下にした立ち姿勢でも、パソコンＰＣで入力した印刷データをテープＴに印刷することも可能である。
【００４９】
なお、このようにテープ印刷装置１をパソコンＰＣと通信接続する場合、キーボード３は、特に使用する必要がないため、図１に示すように蓋体８に隠蔽されるようになる。
【００５０】
露出ランプ群１９は、三日月形状部９の中央部に配設された複数の表示ランプから構成されている。複数の表示ランプは、図示左側から、印刷表示ランプ４０、電源表示ランプ４１、自動切断表示ランプ４２、通信表示ランプ４３、およびトリム表示ランプ４４の順に配列され、各種の動作状態に対応して点灯・消灯する。印刷表示ランプ４０は、テープＴに印刷中および印刷済みのテープＴの切断動作中に点灯し、自動切断表示ランプ４２は、手動ではなく自動的にテープＴの切断を行う自動切断機能が設定されている場合に点灯する。また、通信表示ランプ４３は、後述する通信入力キー１８がＯＮの状態のときに点灯し、トリム表示ランプ４４は、トリム部７で印刷済みのテープＴの隅部を成形切断中に点灯する。
【００５１】
また、露出キー群１０は、互いに近接して配設した左側の電源入力キー１７と右側の通信入力キー１８とから成る。電源入力キー１７は、装置本体２の電源をＯＮ−ＯＦＦ操作可能とするキーであり、また通信入力キー１８は、パソコンＰＣとの通信接続をＯＮ−ＯＦＦ操作可能とするキーである。
【００５２】
次に、制御系の基本的な構成について説明する。図４のブロック図に示すようにキーボード３やディスプレイ１４を有してユーザとのインタフェースを行う操作部１１、印刷ヘッド（サーマルヘッド）１２２やテープ送り部１２０を有してポケットＰ内に装着したテープカートリッジＣのテープＴに印刷を行う印刷部１２、印刷後のテープＴの切断を行う切断部１３、各種センサを有して各種検出を行う検出部１５、各種ドライバを有して各部回路を駆動する駆動部２７０、および、テープ印刷装置１内の各部を制御する制御部２００を備えている。このため、装置ケース４の内部には、印刷部１２、切断部１３、検出部１５などの他、図外の回路基板が収納されている。この回路基板には、電源ユニットの他、駆動部２７０や制御部２００の各回路などが搭載され、図外のＡＣアダプタ接続口や外部から着脱可能なニッカド電池等の電池に接続されている。
【００５３】
操作部１１は、キーボード３とディスプレイ１４とを備えている。ディスプレイ１４は、横方向（Ｘ方向）１９８ドット×縦方向（Ｙ方向）６４ドットの表示画像データを表示可能な表示画面４５を有し（図５参照）、ユーザがキーボード３からデータを入力して、印刷データを作成・編集したり、その結果等を視認したり、キーボード３から各種指令・選択指示等を入力したりする際などに用いられる。
【００５４】
また、表示画面４５は、図５に示すように、テープ上に印刷される印刷態様を表示する印刷イメージ表示部４５ａと、テキストの編集状態を表示するテキスト表示部４５ｂとを備え、ユーザは、印刷イメージ表示部４５ａの表示を確認しながら印刷データの作成・編集を行い得るようになっている。さらに、表示画面４５の上部および下部には、インジケータ部４５ｃを備え、そのときテープ印刷装置１で実行されている機能や、編集対象位置（カーソルＫが付された位置）に設定されている文字モードなどを表示する。このインジケータ部４５ｃにおける各表示体は、表示画面４５の周囲に印刷された機能または文字モードを表す語句に対応して設けられており、視認可能な状態で表示される表示体（図示黒塗）に対応する機能または文字モードが、そのとき設定されていることを示す。例えば、同図の場合、カーソルＫが付されたキャラクタ「そ」が、入力モード「ローマ字」によって入力され、その文字サイズはＳサイズ（１０ポイント）、文字モード（書体）はゴシック体が設定されていることを示している（キャラクタ「そ」の左側に表示される黒地横向きの三角マークは「文字モード指定マーク」を示している）。なお、この他、インジケータ部４５ｃには、各種文章書式や段落スタイル（詳細は後述する）などを表示可能に構成しても良い。また、印刷イメージ表示部４５ａと、テキスト表示部４５ｂの左部には、テキスト表示部４５ｂに表示される１行あたりの文字数が所定数以上の場合に、行頭マーク（ここでは、黒地の「１」、「２」）を表示する行頭マーク表示部４５ｄを備えているが、詳細については後述する。
【００５５】
キーボード３には、アルファベットキー群、数字キー群、平仮名や片仮名等の仮名キー群、および外字を呼び出して選択するための外字キー群等を含む文字キー群の他、各種の動作モードなどを指定するための機能キー群などが配列されている。機能キー群には、印刷実行を指示する〔印刷〕キーの他、改行を指示する〔改行〕キー、漢字変換や機能を選択する場合に、表示されている選択肢を選択する〔選択〕キー、次に入力されるキャラクタ位置やカーソルＫを移動するための〔カーソル〕キー（「↑」、「↓」、「→」、「←」）、文字を削除（消去）したり各種機能の操作中に操作の取り消しを行う〔削除〕キーなどが含まれる。なお、この〔削除〕キーは、カーソルＫの位置前の文字を消去する、いわゆる「ＢＳ」機能であり、カーソルＫの直後の文字を消去する「ＤＥＬ」機能ではない。
【００５６】
また、機能キー群には、この他、本発明の要旨となるデザインフォームの呼出や、ファイル（文章）の登録・呼出やを行うための〔ファイル／フォーム〕キーも含まれる。なお、当然ながら、これらのキー入力は、一般的なキーボードと同様に、各キー入力毎に個別にキーを設けて入力しても良いし、シフトキー等と組み合わせてより少ない数のキーを用いて入力しても良い。図４に示すように、キーボード３は、種々の指令およびデータを制御部２００に入力する。
【００５７】
テープ送り部１２０は、テープを送り出す送りモータ１２１を備え、送りモータ１２１の先端には図外の検出開口が形成された円盤が固着されている。さらに、その検出開口に臨むようにフォトセンサ等を有する回転速度センサ１４１が設けられていて、送りモータ１２１の回転速度を検出して制御部２００に報告する。
【００５８】
印刷部１２には、開閉蓋５の内側に、テープカートリッジＣを装着するためのポケットＰが設けられていて、テープカートリッジＣはこの開閉蓋５を開放した状態でポケットＰに対して着脱される。テープカートリッジＣには、カートリッジケース５１の内部に一定の幅（６ｍｍ〜３６ｍｍ）のテープＴとインクリボンＲとを収容されており、また、ポケットＰに配設されたヘッドユニットに差し込むための貫通孔５５が形成されている。
【００５９】
また、カートリッジケース５１には、図示しないが、相異なる幅等のテープＴの幅を識別できるように、裏面に小さな複数の孔が設けられ、ポケットＰには、この孔の有無を検出するマイクロスイッチなどのテープ幅検出センサ１４２が設けられていて、これにより、テープＴの幅を検出できるようになっている。また、カートリッジケース５１の底面には、収納されたテープＴを構成する部材の材質、厚み、色等の情報をバーコード化したバーコードテープが貼付されており、フォトセンサなどのテープ情報検出センサ１４３によりこれらの情報を検出できるようになっている。
【００６０】
切断部１３は、テープＴを切断するフルカット用テープカッタ１３２ａと、テープＴの受像層Ｔａおよび粘着材層Ｔｂのみを切断するハーフカット用テープカッタ１３２ｂと、任意長印刷などの場合に手動によりテープカッタ１３２ａ、１３２ｂを切断動作させるカットボタン１３３ａ、１３３ｂと、定長印刷などの場合に自動的にテープカッタ１３２ａ、１３２ｂを切断動作させるカッタモータ１３１と、を備えている。
【００６１】
また、モード設定によって、自動／手動を切り替えられるようになっている。このため、手動カットの場合、印刷が完了した時点で、ユーザが、装置ケース４に配設されたカットボタン１３３ａ、１３３ｂを押すことで、カッタモータ１３１が駆動し、さらにテープカッタ１３２ａ、１３２ｂが作動してテープＴが所望の長さに切断される。また、自動カットの場合、印刷が終了して余白分だけテープ送りされ、それが停止すると同時に、カッタモータ１３１が駆動され、テープＴの切断が行われる。なお、自動カットの場合は、ハーフカットを行うように設定されていた場合にはハーフカット用テープカッタ１３２ｂが駆動され、特に切断方法の指定が為されていない場合はフルカット用テープカッタ１３２ａが駆動される。
【００６２】
また、モード設定によって自動に設定された場合は、テープ情報検出センサ１４３により、テープ種類を検出し、その検出結果に基づいて、カッタモータ１３１を駆動するか否かの設定がなされる。すなわち、テープ種類の検出結果に基づいて、フルカットおよびハーフカットの両切断処理を行うか否かが設定される。
【００６３】
検出部１５は、前述の回転速度センサ１４１、テープ幅検出センサ１４２およびテープ情報検出センサ１４３を備えている。なお、実状に合わせて、これらを省略した構成とすることもできる。
【００６４】
駆動部２７０は、ディスプレイドライバ２７１と、ヘッドドライバ２７２と、モータドライバ２７３とを備えている。ディスプレイドライバ２７１は、制御部２００から出力される制御信号に基づき、その指示にしたがって、操作部１１のディスプレイ１４を駆動する。同様に、ヘッドドライバ２７２は、制御部２００の指示にしたがって、印刷部１２の印刷ヘッド１２２を駆動する。また、モータドライバ２７３は、印刷部１２の送りモータ１２１を駆動する送りモータドライバ２７３ｄと、切断部１３のカッタモータ１３１を駆動するカッタモータドライバ２７３ｃとを有し、同様に、制御部２００の指示にしたがって、各モータを駆動する。
【００６５】
制御部２００は、ＣＰＵ２１０、ＲＯＭ２２０、キャラクタジェネレータＲＯＭ（ＣＧ−ＲＯＭ）２３０、ＲＡＭ２４０、周辺制御回路（Ｐ−ＣＯＮ）２５０を備え、互いに内部バス２６０により接続されている。ＲＯＭ２２０は、ＣＰＵ２１０で処理する制御プログラムを記憶する制御プログラム領域２２１の他、キャラクタ一覧テーブル、デザインフォーム一覧テーブル、色変換テーブルおよび文字修飾テーブルを含む制御データを記憶する制御データ領域２２２を有している。ＣＧ−ＲＯＭ２３０は、テープ印刷装置１に用意されている記号、図形等のビットマップデータを記憶していて、文字等を特定するコードデータが与えられたときに、対応するビットマップデータを出力する。
【００６６】
ＲＡＭ（記憶装置）２４０は、電源キーの操作により電源がオフにされても、記憶したデータを保持しておくように図外のバックアップ回路によって電源の供給を受けており、各種レジスタ群２４１や、ユーザがキーボード３から入力した文字等のキャラクタデータを記憶するキャラクタデータ領域２４２、表示画面４５の表示画像データを記憶する表示画像データ領域２４３、印刷画像データを記憶する印刷画像データ領域２４４、描画登録画像データを記憶する描画登録画像データ領域２４５の他、印刷履歴データ領域２４６やその他の色変換バッファーなどの各種変換バッファー領域２４７などの領域を有し、制御処理のための作業領域として使用される。
【００６７】
Ｐ−ＣＯＮ２５０には、ＣＰＵ２１０の機能を補うとともに周辺回路とのインタフェース信号を取り扱うための論理回路が、ゲートアレイやカスタムＬＳＩなどにより構成されて組み込まれている。例えば、種々の計時を行うタイマ２５１などもＰ−ＣＯＮ２５０内の機能として組み込まれている。このため、Ｐ−ＣＯＮ２５０は、検出部１５の各種センサやキーボード３と接続され、検出部１５からの前述した各種検出信号およびキーボード３からの各種指令や入力データなどをそのままあるいは加工して内部バス２６０に取り込むとともに、ＣＰＵ２１０と連動して、ＣＰＵ２１０等から内部バス２６０に出力されたデータや制御信号を、そのままあるいは加工して駆動部２７０に出力する。
【００６８】
そして、ＣＰＵ２１０は、上記の構成により、ＲＯＭ２２０内の制御プログラムにしたがって、Ｐ−ＣＯＮ２５０を介して各種検出信号、各種指令、各種データ等を入力し、ＣＧ−ＲＯＭ２３０からのビットマップデータ、ＲＡＭ２４０内の各種データ等を処理し、Ｐ−ＣＯＮ２５０を介して駆動部２７０に制御信号を出力することにより、印刷の位置制御や表示画面４５の表示制御等を行うとともに、印刷ヘッド１２２を制御して所定の印刷条件でテープＴに印刷するなど、テープ印刷装置１全体を制御している。
【００６９】
次に、テープ印刷装置１におけるキャラクタ入力方法について説明する。本発明のテープ印刷装置１は、前述の通り、予めサンプルテキストが入力されたデザインフォームを呼び出して、そのサンプルテキストの内容を編集することにより、使用目的に合った見栄えの良いラベルを容易に作成し得るものである。
【００７０】
そこで、まず第一実施例として、図６（ａ）に示すようなサンプルテキストが予め入力されたデザインフォーム（Ａ４ファイルの背表紙に貼着するラベル用のもの）を呼び出して、そのサンプルテキストの内容を編集し、図１０に示すようなラベルを作成する場合について説明する。図７に示すように、テキスト入力画面（Ｄ１１）において、ユーザにより、〔ファイル／フォーム〕キーが押下されると、「ファイル選択画面」に遷移する（Ｄ１２）。ここでは、画面上部に「ファイル選択画面」であることを示す「ファイル」の文字の他、選択肢として「フォーム（複数のデザインフォームの中から任意のデザインフォームを選択するためのメニュー）」、「ファイル登録」、「ファイル呼出」を表示し、このうちデフォルト値である「ファイル登録」をネガ表示する。さらに、ネガ表示している選択肢の説明を吹き出し表示する（「文章をファイルに保存します。」）。このように、表示画面４５上において選択肢の説明を行うことにより、初心者でも取扱説明書を見ることなく容易に操作可能となっている。
【００７１】
また、「ファイル選択画面」では、上記の他、選択肢として「特殊フォーム」を選択可能となっているが、表示画面４５のサイズの関係上、ここでは表示されず、カーソルキー〔↑〕ｏｒ〔←〕が押下されることにより表示される（Ｄ１３参照）。なお、「特殊フォーム」は、インデックス用のラベルなど特殊なデザインのラベルを作成するための機能であり、「フォーム」は、選択したデザインフォームに文字や記号等のキャラクタを入力することによって、使用目的にあった見栄えの良いラベルを作成するための機能である（詳細は後述する）。また、「ファイル登録」および「ファイル呼出」は、ユーザがオリジナルで作成したファイル（文章）の登録および呼出を行う機能である。
【００７２】
ここ（Ｄ１２）で、ユーザにより、カーソルキー〔↑〕ｏｒ〔←〕が押下されると、選択肢「フォーム」を網掛表示すると共に、その説明を吹き出し表示する（Ｄ１３）。次に、〔選択〕キーが押下されると、「フォーム選択画面」に遷移する（Ｄ１４）。ここでは、選択肢として、「Ａ４ファイル（図６参照）」、「Ｂ５ファイル」、「備品管理票（図１２参照）」、「ＶＨＳ／横（図１８（ａ）参照）」、「８ｍｍビデオ（図１８（ｂ）参照）」、「ミニＤＶ（図１９（ａ）参照）」、「ＤＡＴ（図１９（ｂ）参照）」の他、様々な使用目的に応じてデザインされたデザインフォームが用意されており、このうちデフォルト値である「Ａ４ファイル」をネガ表示している。また、この状態で操作可能なキー（〔選択〕キー、カーソルキー、〔削除〕キーなど）の説明を表示し、上記の吹き出し表示と同様、初心者でも取扱説明書を見ることなく容易に操作できるようになっている。
【００７３】
ここ（Ｄ１４）で、ユーザにより〔選択〕キーが押下されると、「フォーム編集画面」に遷移し、予めサンプルテキストが入力された「Ａ４ファイル」用のデザインフォームを画面上に表示する（Ｄ１５）。このとき、カーソルＫは、サンプルテキストの最後（最終行の最終キャラクタ）に付されている。また、ここに示すように、画面上部は印刷イメージを表示する印刷イメージ表示部４５ａとなっており、下部はテキスト表示部４５ｂとなっている。以下、分かりやすくするため、図面上では、印刷イメージ表示部４５ａとテキスト表示部４５ｂを点線で区切ると共に、１行の表示文字数が１１文字を超えたときに行頭マークを表示する行頭マーク表示部４５ｄ（画面左部）についても点線で区切って表示する。なお、実際の画面上にはこれらの点線は表示されない（図５参照）。また、表示画面４５の上部および下部のインジケータ部４５ｃ（図５参照）については、図示を省略する。
【００７４】
次に、サンプルテキストの編集について説明する。図６は、第１実施例として説明する「Ａ４ファイル」用の、編集前のサンプルテキストが入力されたデザインフォームを示したものである。この、サンプルテキストが入力されたデザインフォームの印刷は、図７Ｄ１５の状態において、〔印刷〕キーが押下されることにより作成可能となっている。すなわち、所望するデザインフォームを呼び出しただけの編集前の時点で〔印刷〕キーを押下することにより、サンプルテキストが入力されたデザインフォームをテープＴ上に印刷する「サンプル印刷」を行うことができる。このため、ユーザは、取扱説明書などを見なくとも、印刷態様を確認することができる。
【００７５】
ところで、このサンプルテキストには、各サンプルテキスト毎に必要に応じて予め書式が設定されている。この「書式」には、様々な種類があるが、主に、「文章書式」、「段落スタイル」および「文字モード」の３つに分類され、詳細については、図１５ないし図１７に示すとおりである。ここに示す表には、各書式で設定可能な選択肢の一覧を示しているが、各選択肢のうち、初期設定値（デフォルト値）については、網掛にて図示している。なお、記憶されている全てのサンプルテキストの全体に、この３つの書式が設定されているわけではなく、必要に応じて、部分的に（段落毎、キャラクタ列毎に）書式が設定されているものもある。そこで、以下図６の例を参照しながら説明する。
【００７６】
まず、このデザインフォームは、サンプルテキストの全体に「文章書式」と「文字モード」に関する書式が設定されており、その設定内容は図６（ｂ）の＜フォーム情報＞に示すとおりである。ここに示すとおり、このデザインフォームは、「Ａ４ファイル」用であり、「文章書式」は「定長印刷：割付け（２０〔ｃｍ〕）」、「余白：自動少なめ」が設定されている（図１５Ｓ１１，Ｓ１２参照）。この「定長印刷」とは、所定の長さ（この場合、「Ａ４ファイル」の背表紙に貼付可能な長さ２０〔ｃｍ〕）のテープＴを作成する機能であり、「割付け」とは、キャラクタを、そのキャラクタ数に応じてテープＴ上に均等に割り付ける機能を指すものである。また、「余白」とは、テープＴの先端部および後端部の空白部の長さを設定する機能を指すものであり、「自動少なめ」とは、一定の余白長ではなく、テープ幅に応じて余白長を短めに設定するものである。
【００７７】
また、図６の例では、「文章全体にかかる段落スタイル」は設定されていない。これは、各段落毎に「段落スタイル」が設定されているためである。さらに、「文章全体にかかる文字モード」は、「縦・横：たて書き」、「書体：和文ゴシック・英数自動」が設定されている（図１７Ｓ１３，Ｓ１４，Ｓ１５参照）。このように「書体」は、「和文書体」と「英数書体」に分けてそれぞれ設定される。なお「英数自動」とは、「和文書体」として設定されている書体（この場合、「和文ゴシック」）と同じ書体が自動的に設定されることを示している。
【００７８】
一方、このデザインフォームは、サンプルテキストが２つの段落（以下、「段落１」、「段落２」という）で構成されており、さらに、「段落２」は２つのキャラクタ列（「管理部門  ：〜」、「廃棄年月日：〜」）で構成されている。図６（ｃ）の＜段落情報＞に示すとおり、「段落１」には、「段落スタイル」として、「文字サイズ：１行大１ｄ」が設定されている（図１６Ｓ１６参照）。この「文字サイズ：１行大１ｄ」は、各行のサイズを、予め記憶された組み合わせの中から選択したものであり、その文字サイズのイメージは、図１６Ｓ１６に示すとおりである。
【００７９】
同様に、「段落２」には、図６（ｄ）の＜段落情報＞に示すとおり、「段落スタイル」として、「文字サイズ：２行中中２ｂ」、「外枠・表組：外枠０３」が設定されている（図１６Ｓ１７，Ｓ１８参照）。この「外枠０３」とは、予め記憶された外枠デザインの番号「０３」を示すものであり、その印刷イメージは、図１６Ｓ１８に示すとおりである。また、「段落２」には、「定型文」が設定されており、この場合は、２つのキャラクタ列（「１．管理部門  ：」、「２．廃棄年月日：」で構成されている。この「定型文」は、各デザインフォームの使用目的に応じて、編集（書き換え）することなく使用可能なテキストとして設定されたものであり、他のキャラクタ列とは異なり、編集不可能となっている。なお、この「定型文」を編集可能に構成しても良い。これについては、第２実施例にて説明する。
【００８０】
次に、図８および図９を参照し、上記のサンプルテキストを編集してオリジナルテキストを作成する方法について説明する。まず、「Ａ４ファイル」用のデザインフォームおよびそのサンプルテキストが表示された状態では、カーソルＫが、サンプルテキストの最後に付されている（Ｄ１７）。また、上記の通り、「Ａ４ファイル」用のサンプルテキストは、２つの段落で且つ３つのキャラクタ列から構成されるが、ここでは、「段落２」の２つのキャラクタ列しか表示されない。これは、表示画面４５のテキスト表示部４５ｂには２行分の表示領域しかないためである。したがって、カーソルキー〔↑〕ｏｒ〔←〕が押下されることにより、「段落１」のキャラクタ列も表示可能となっている（図９Ｄ２３参照）。なお、行頭マーク表示部４５ｄに表示する行頭マークは、段落毎に付されるキャラクタ列番号を示している。
【００８１】
また、テキスト表示部４５ｂには、「段落２」の、２つのキャラクタ列の前半部（１．「管理」、２．「廃棄」）が表示されていないが、これは、行頭マーク表示部以外のテキスト表示部４５ｂには、全角１２文字分の表示領域しかないためである。すなわち、図１１（ａ）に示すように、このデザインフォームが呼び出された初期画面において、サンプルテキストの最終行が１２文字以上の場合（例：「廃棄年月日：Ｈ１５年１０月３１日」）は、最終行のキャラクタ列の後半１１文字分と１文字分のスペースが表示される（ここに示す数字は全て半角入力されている）。また、同図（ｂ）に示すように、サンプルテキストの最終行が１１文字の場合（例：「廃棄年月日：永久保存板」）は、テキスト表示部４５ｂにキャラクタ列の全てと１文字分のスペースを表示する。また、同図（ｃ）に示すように、サンプルテキストの最終行が１０文字の場合（例：「廃棄年月日：永久保存」）は、行頭マーク表示部４５ｄに行頭マークを表示せず、テキスト表示部４５ｂの１列目に行頭マークを表示すると共にキャラクタ列の全てを表示する。また、同図（ｄ）に示すように、サンプルテキストの最終行が９文字以下の場合（例：「廃棄禁止」）は、行頭マーク表示部に行頭マークを表示せず、テキスト表示部４５ｂの２列目に行頭マークを表示すると共にキャラクタ列の全てを表示する。
【００８２】
このように、サンプルテキストの最終行の文字数に応じて、表示形態を変化させることにより、ユーザが画面を視認し易くなると共に編集開始位置（カーソルＫの位置）を把握し易いため、操作性を向上させることができる。なお、テキスト表示部４５ｂに表示される１行目のキャラクタ列は、最終行（２行目）のキャラクタ列の表示位置に合わせて、表示位置が変化する。
【００８３】
ここで、図８Ｄ１７において、〔削除〕キーが３回押下されると、キャラクタ「３１（半角文字）日」が削除され、カーソルＫの位置が移動する（Ｄ１８）。ここで、文字キー〔２９（半角文字）日〕が入力され、「段落２」の最終行の編集が完了する（Ｄ１９；図１０編集▲１▼参照）。なお、Ｄ１８およびＤ１９等に示すように、印刷イメージ表示部４５ａの表示は、テキスト表示部４５ｂの編集に伴って、その表示が変化する。
【００８４】
また、編集によって入力される文字数が多い場合は、その分、図１０に示す「段落２」の部分が広がることになるが、所定の領域（例えば１０〔ｃｍ〕など）または文字数（例えば、３０文字など）を超えて入力される場合は、その入力を禁止するようになっている。これは、「Ａ４ファイル」用のデザインフォームが定長（２０〔ｃｍ〕）に設定されているためである。したがって、その他のキャラクタ列についても、それぞれ所定領域または文字数を超えた入力が為された場合には入力を禁止する。この構成により、ユーザが、無駄なキャラクタの入力を行うことを防止することができる。また、このようにキャラクタの入力が禁止された場合、エラー報知を行うようにしても良い。この構成によれば、ユーザに対して、無駄なキャラクタの入力を行っていることを明確に認識させることができる。なお、「エラー報知」とは、表示画面４５上にその旨の語句（「これ以上入力できません。」など）を表示しても良いし、表示画面４５を一時的に消去したり、電子音（ビープ音）を発生させたりしても良い。
【００８５】
次に、図８Ｄ１９の状態において、カーソルキー〔↑〕が押下されると、「段落２」のキャラクタ列１行目の編集に入るが、カーソルＫはキャラクタ列１行目の最終キャラクタに付されている（Ｄ２０）。ここで、〔削除〕キーが５回押下されると、キャラクタ「開発技術部」が削除され、カーソルＫの位置が移動する（Ｄ２１）。さらに、文字キー〔企画管理部〕が入力されると、図９に示すように、「段落２」のキャラクタ列１行目の編集が完了する（Ｄ２２；図１０編集▲２▼参照）。
【００８６】
次に、カーソルキー〔↑〕が押下されると、今度は「段落１」のキャラクタ列の編集に入る（Ｄ２３）。この場合、編集済みの「段落２」の最終行は、印刷イメージ表示部４５ａの表示領域の関係上表示されない。また、上記の通り、「段落１」は、１つのキャラクタ列で構成されているため、行頭マークは「１」となっている。また、ここでも、カーソルＫはキャラクタ列の最終キャラクタに付されている。ここで、カーソルキー〔←〕が３回押下されると、カーソルＫの位置が移動し（Ｄ２４）、さらに〔削除〕キーが２回押下されると、キャラクタ「商品」が削除され、カーソルＫの位置が移動する（Ｄ２５）。また、この状態で、カーソルキー〔→〕が押下され（Ｄ２６）、さらに文字キー〔提案〕が入力されると、「段落１」の編集が完了する（Ｄ２７；図１０編集▲３▼参照）。このように、予め入力されているサンプルテキストを全て削除することなく、サンプルテキストの内容を生かしつつ、必要に応じて部分的に書き換えることができるため、目的の文書であるオリジナルテキストを迅速に作成することができる。なお、上記の例では、Ｄ２３およびＤ２４等に示すように、カーソル位置が変化しても印刷イメージ表示部４５ａの表示に変化はないものとしたが、カーソル位置に応じて表示領域が変化するように構成することも可能である。
【００８７】
以上の操作により、全ての編集（編集▲１▼〜▲３▼）が完了する。そして、図９Ｄ２７の状態で〔印刷〕キーが押下されると、図１０に示すような、「Ａ４ファイル」用のオリジナルラベルを作成することができる。
【００８８】
次に、第２実施例として、図１２（ａ）に示す「備品管理票」用のデザインフォームを呼び出し、このサンプルテキストを編集する方法について説明する。本実施例は、第１実施例の「Ａ４ファイル」用のデザインフォームを編集する場合と比較して、定型サイズのラベル作成ではない点（テープ長は任意である）、また予め記憶された「定型文」が編集可能である点で異なる。したがって、以下、第１実施例との相違点を中心に説明する。
【００８９】
まず、このデザインフォームにも、サンプルテキスト全体に書式が設定されている。図１２（ｂ）の＜フォーム情報＞に示すように、このデザインフォームは、「備品管理票」用であり、「文章書式」は、「余白：自動少なめ」が設定されている（図１５Ｓ２０参照）。また、「文章全体にかかる段落スタイル」は、「文字サイズ：自動均等」、「割付：前揃え」、「外枠・表組：表組０３」が設定されている（図１６Ｓ２１，Ｓ２２，Ｓ２３参照）。ここで、「文字サイズ：自動均等」とは、各行を同じ文字サイズに設定する機能であり、「割付：前揃え」とは、各行の文字の配置を前揃えに設定する機能である。また、「文章全体にかかる文字モード」は、「縦・横：よこ書き」、「書体：和文太型明朝体・英数自動」が設定されている（図１７Ｓ２４，Ｓ２５，Ｓ２６参照）。
【００９０】
一方、このデザインフォームは、サンプルテキストが２つの段落（以下、「段落１」、「段落２」という）で構成されており、さらに、それぞれの段落が、４つのキャラクタ列によって構成されている。また、図１２（ｃ）の＜段落情報＞に示すとおり、「段落１」には、「段落スタイル」として、「割付け：割付け」が設定されている（図１６Ｓ２７参照）。
【００９１】
また、「段落１」には「定型文」として、４つのキャラクタ列が設定されており、これらには、「文字モード」として「書体：和文ゴシック・英数自動」に設定されている（図１７Ｓ２８，Ｓ２９）。このように、「文字モード」が＜フォーム情報＞に設定された所定の「文字モード」と異なる場合には、表示画面４５上において、そのキャラクタ列の先頭に「文字モード指定マークＭ」を付す。このように、キャラクタ列に＜フォーム情報＞として予め定められた書式以外の書式が設定されている場合、当該キャラクタ列の先頭に所定の記号を表示するため、ユーザは、どのキャラクタ列に対して特別な書式（予め定められた書式以外の書式）が設定されているかを確認することができる。
【００９２】
また、この「定型文」は、必要に応じて、編集（書き換え）可能となっている。したがって、他のキャラクタ列と区別することなく、通常のサンプルテキストとして記憶されるようにしても良い。また、このように、＜フォーム情報＞と＜段落情報＞とで、異なる書式が設定されている場合は、＜段落情報＞が優先される。
【００９３】
一方、「段落２」には、図１２（ｄ）に示すとおり、＜段落情報＞は設定されていない。これは、書式が図１２（ｂ）に示す＜フォーム情報＞と同様に設定されていることを示す。
【００９４】
次に、図１３を参照し、上記のサンプルテキストを編集してオリジナルテキストを作成する方法について説明する。まず、「備品管理票」用のデザインフォームおよびそのサンプルテキストが表示された状態では、「段落２」の最終キャラクタ列およびその前のキャラクタ列を表示し、カーソルＫが、最終キャラクタ列の最後に付されている（Ｄ３４）。ここで、〔削除〕キーが５回押下され、さらに文字キー〔企画管理部〕が入力されることにより、第２段落の最終行の編集が完了する（図１４編集▲１▼参照）。そして、カーソルキー〔↑〕が２回押下されると、「段落２」の２行目のキャラクタ列の編集を行う（Ｄ３５）。ここで、〔削除〕キーが押下され、さらに文字キー〔５〕が入力されることにより、第２段落の２行目の編集が完了する（図１４編集▲２▼参照）。さらに、カーソルキー〔↑〕が２回押下されることにより、「段落１」の４行目のキャラクタ列の編集が可能となる（Ｄ３６）。この「段落１」は、上記の通り、全て「定型文」で構成されているが、他のキャラクタ列と同様に、編集が可能である。したがって、ここで、カーソルキー〔←〕、〔削除〕キーが２回、さらに文字キー〔購入〕が入力されることにより、第１段落の４行目の編集が完了する（Ｄ３７；図１４編集▲３▼参照）。
【００９５】
以上の操作により、全ての編集（編集▲１▼〜▲３▼）が完了する。そして、図１３Ｄ３７の状態で〔印刷〕キーが押下されると、図１４に示すような、「備品管理票」用のオリジナルラベルを作成することができる。なお、この「備品管理票」は定型サイズではないため、入力文字の制限はない。したがって、多数の文字数の入力が為されても入力が禁止されることがない。すなわち、入力された文字数にしたがって、図１４に示す「段落１」または「段落２」の部分が広がることになる。但し、テープ印刷装置１自体で、１行に入力可能な文字数の制限がある場合はこの限りではない。
【００９６】
続いて、その他のデザインフォームの例について説明する。図１８（ａ）、（ｂ）および図１９（ａ）、（ｂ）に４つの例を示した。ここでは、それぞれのサンプルテキストが入力されたデザインフォーム（「作成ラベル」）の例、そのサンプルテキストの内容（「テキスト内容」）の例、デザインフォームを呼び出したときの初期画面（「初期画面」）の例を示している。なお、「作成ラベル」については、実際のサイズとは関係なく適宜拡大して図示している（実寸サイズについては各テープ幅参照）。ここに示すように、キャラクタ列として「絵文字」を入力することも可能であり、さらにこの絵文字を他の絵文字に書き換えたり、記号を入力したりすることも可能である。また、初期画面においては、いずれもカーソルＫがサンプルテキストの最終行の最終キャラクタに付されており、この最終行の文字数に応じて表示形態が変化している（図１１参照）。また、印刷イメージ表示部４５ａには、テープＴ上に印刷されるデザインフォームのイメージが表示されているため、取扱説明書を見ることなく、しかも表示画面４５上で印刷態様を確認することができる。
【００９７】
以上、説明したとおり、本発明のキャラクタ入力装置およびこれを備えたテープ印刷装置並びにキャラクタ入力装置のキャラクタ入力方法によれば、複数のデザインフォームを記憶しており、これらの中から１のデザインフォームを選択することができるため、ユーザは、自分の使用目的にあった文書を手軽に作成することができる。また、デザインフォームには、予めサンプルテキストが入力されており、これを編集することができるため、ユーザは、どこにどのような内容を入力して良いのかを把握した上で、編集ができる。しかも、予め入力されているサンプルテキスト内の、書き換えまたは追加が必要な箇所のみを入力すればよいため、容易に目的の文書を作成することができる。
【００９８】
また、編集前の初期状態においては、カーソルＫがサンプルテキストの最後のキャラクタに付されているため、ユーザは、編集対象箇所をすぐに確認することができると共に、予め入力されているサンプルテキストの削除操作を迅速に行うことができる。すなわち、カーソルＫを付したキャラクタ前のキャラクタを消去する機能（ＢＳ機能）と、カーソルＫを付したキャラクタの直後のキャラクタを消去する機能（ＤＥＬ機能）とを混在させることなく、ＢＳ機能のみで削除操作を迅速に行うことができる。また、これに伴い、削除処理機能として、装置にＤＥＬ機能を備える必要がない。すなわち、装置の制御構成を簡素化することができる。
【００９９】
さらに、サンプルテキスト全体、若しくは段落毎に、予め書式（＜フォーム情報＞、＜段落情報＞）が設定されており、入力したキャラクタは、編集対象となるサンプルテキスト、若しくは段落の書式にしたがってその書式が決定されるため、ユーザは、煩わしい書式の設定を必要とすることなく、見栄えの良い文書を作成することができる。
【０１００】
なお、上記の例では、書式（「文章書式」、「段落スタイル」、「文字モード」）は、サンプルテキスト全体に設定される＜フォーム情報＞と、段落毎に設定される＜段落情報＞とによって設定されるものとしたが（図６、図１２参照）、＜フォーム情報＞若しくは＜段落情報＞のいずれか一方のみによって設定されるようにしても良い。また、＜フォーム情報＞および＜段落情報＞の他に、キャラクタ列毎に設定する＜キャラクタ列情報＞も含めて書式の設定が行われるようにしても良いし、＜キャラクタ列情報＞のみによって設定されるようにしても良い。このように、種々の書式を記憶するためのメモリ容量や、ラベル態様によって書式の設定の仕方を変化させることが可能である。
【０１０１】
また、上記の例では、使用するテープＴのテープ幅については、特に記載していないが、デザインフォームによっては、ラベルサイズ（テープ長）が予め設定されていることから、各デザインフォーム毎に、推奨されるテープ幅（例えば「Ａ４ファイル」用のラベルの場合１２〔ｍｍ〕、「備品管理票」用のラベルの場合１８〔ｍｍ〕または２４〔ｍｍ〕など）が定められていることが好ましい。また、この推奨されるテープ幅は、取扱説明書に記載されるだけでなく、表示画面４５に表示されることが好ましい。この構成によれば、ユーザは、見栄えの良いラベルを作成するためのテープ幅を知ることができる。
【０１０２】
また、上記の例では、本発明のキャラクタ入力方法をテープ印刷装置に適用した例について説明したが、これに限らず、その他の種類の印刷装置やキャラクタ入力装置（ワープロ等）にも適用可能であることは言うまでもない。また、本発明を逸脱しない範囲で、適宜変更・応用も可能である。
【０１０３】
【発明の効果】
上述のように、本発明のキャラクタ入力装置およびこれを備えたテープ印刷装置並びにキャラクタ入力装置のキャラクタ入力方法によれば、予めサンプルテキストが入力されたデザインフォームを呼び出して、そのサンプルテキストの内容を編集することにより、所望する文書を容易に作成することができる、などの効果がある。
【図面の簡単な説明】
【図１】本発明の一実施形態に係るテープ印刷装置の外観斜視図である。
【図２】図１のテープ印刷装置の蓋体を開蓋した状態の外観斜視図である。
【図３】図１のテープ印刷装置の蓋体を閉蓋し、且つ開閉蓋を開放してテープカートリッジを装着した状態の外観斜視図である。
【図４】図１に示すテープ印刷装置の制御系のブロック図である。
【図５】図１に示すテープ印刷装置の表示画面の拡大平面図である。
【図６】本発明の第一実施例に係るデザインフォーム（編集前）の一例を示す説明図である。
【図７】図６のデザインフォームの呼び出し方法を画面表示で示す説明図である。
【図８】図６のデザインフォームに入力されたサンプルテキストの編集方法を画面表示で示す説明図である。
【図９】図８に続く、サンプルテキストの編集方法を画面表示で示す説明図である。
【図１０】本発明の第一実施例に係るデザインフォーム（編集後）の一例を示す説明図である。
【図１１】サンプルテキストの最終行の文字数の変化に伴う、表示形態の変化を示す説明図である。
【図１２】本発明の第二実施例に係るデザインフォーム（編集前）の一例を示す説明図である。
【図１３】図１２のデザインフォームに入力されたサンプルテキストの編集方法を画面表示で示す説明図である。
【図１４】本発明の第二実施例に係るデザインフォーム（編集後）の一例を示す説明図である。
【図１５】「文章書式」の選択肢一覧を示す表である。
【図１６】「段落スタイル」の選択肢一覧を示す表である。
【図１７】「文字モード」の選択肢一覧を示す表である。
【図１８】デザインフォームの他の例を示す説明図である。
【図１９】デザインフォームの他の例を示す説明図である。
【図２０】従来例を示す説明図である。
【符号の説明】
１        テープ印刷装置
３        キーボード
１１      操作部
１２      印刷部
１３      切断部
１５      検出部
４５      表示画面
４５ａ    印刷イメージ表示部
４５ｂ    テキスト表示部
４５ｃ    インジケータ部
４５ｄ    行頭マーク表示部
１４２    テープ幅検出センサ
２００    制御部
２１０    ＣＰＵ
２２０    ＲＯＭ
２３０    ＣＧ−ＲＯＭ
２４０    ＲＡＭ
Ｃ        テープカートリッジ
Ｋ        カーソル
Ｍ        文字モード指定マーク
Ｔ        テープ
【図１】
0004624611.tif 000002
【図２】
0004624611.tif 000003
【図３】
0004624611.tif 000004
【図４】
0004624611.tif 000005
【図５】
0004624611.tif 000006
【図６】
0004624611.tif 000007
【図７】
0004624611.tif 000008
【図８】
0004624611.tif 000009
【図９】
0004624611.tif 000010
【図１０】
0004624611.tif 000011
【図１１】
0004624611.tif 000012
【図１２】
0004624611.tif 000013
【図１３】
0004624611.tif 000014
【図１４】
0004624611.tif 000015
【図１５】
0004624611.tif 000016
【図１６】
0004624611.tif 000017
【図１７】
0004624611.tif 000018
【図１８】
0004624611.tif 000019
【図１９】
0004624611.tif 000020
【図２０】
0004624611.tif 000021